(57)【要約】【課題】家屋内に設置し、十分な受信利得と広帯域で安定した周波数の受信利得を有するテレビを視聴するに好適な地上波アナログ・デジタル共用受信テレビアンテナ【解決手段】所定の幅寸法と０．１  〜５  ｍｍの厚さと所定の形状を有する短冊状の平板金属体よりなるアンテナの本体部材で、該アンテナ本体部材の全長が受信させたい周波数から公知の計算式により求められた１／４波長以上の長さを有するアンテナの本体部材と、該アンテナ本体部材を所定の形状を有して台座上に支承する非金属よりなる支承手段と、該アンテナ本体部材に接続され、受信した電流を取り出す電線ケ−ブルと、該アンテナ本体部材と電線ケ−ブルとを接続する給電点における接続手段と、アンテナ本体部材等を格納して家屋内に搭載する手段を有する外装ケ−スとにより構成されたことを特徴とする地上波アナログ・デジタル共用受信テレビアンテナ【選択図】  図１ａ
2004282319.tif 000002
【特許請求の範囲】
【請求項１】
地上波のテレビ放送で発射されているＦＭ、ＶＨＦ、ＵＨＦ帯の信号波を受信し、前記テレビの視聴を可能とするテレビアンテナにおいて、
所定の幅寸法と厚さと所定の形状を有する短冊状の平板金属体よりなるアンテナの本体部材と、
該アンテナ本体部材を所定の形状を有して台座上に支承する非金属よりなる支承手段と、
該アンテナ本体部材に接続され、受信した電流を取り出す電線ケ−ブルと、
該アンテナ本体部材と電線ケ−ブルとを接続する給電点における接続手段と、
アンテナ本体部材等を格納する外装ケ−スとにより構成されたことを特徴とする地上波アナログ・デジタル共用受信テレビアンテナ。
【請求項２】
アンテナの本体部材の全長は、受信に対応させたい周波数から、公知の計算式により求められた１／４波長以上の長さを有する平板金属体である請求項１に記載の地上波アナログ・デジタル共用受信テレビアンテナ。
【請求項３】
短冊状の平板金属体を水平方向で垂直に多角形状に形成して、電波の水平受信面を設けた同一形状の平板金属体を所定の間隔を有して上下に並立させ、該平板金属体の上下の対向した一端部を連続すると共に他端部を解放し該解放端部に電線ケ−ブル接続手段を有するようにした水平偏波対応型のアンテナ本体部材を有するように構成した請求項１及び請求項２に記載の地上波アナログ・デジタル共用受信テレビアンテナ。
【請求項４】
短冊状の平板金属体を水平方向で水平に多角形状に形成して、電波の垂直受信面を設けた同一形状の平板金属体を所定の間隔を有して上下に重ね合わせ、該平板金属体の上下の対向した一端部を連続すると共に他端部を解放し該解放端部に電線ケ−ブル接続手段を有するようにした垂直偏波対応型のアンテナ本体部材を有するように構成した請求項１及び請求項２に記載の地上波アナログ・デジタル共用受信テレビアンテナ。
【請求項５】
短冊状の平板金属体を直角に山折に形成して電波の垂直及び水平受信面を設けると共に、水平に多角形状に形成した同一形状の平板金属体を所定の間隔を有して上下に重ね合わせ該平板金属体の上下の対向した一端部を連続すると共に他端部を解放し該解放端部に電線ケ−ブル接続手段を有するようにした水平及び垂直混合対応型のアンテナ本体部材を有するように構成した請求項１及び請求項２に記載の地上波アナログ・デジタル共用受信テレビアンテナ。
【請求項６】
アンテナ本体部材の全体の長さは、受信電波に対応させたい周波数から、公知の計算式により求められた１／４波長以上の長さを有し、該アンテナ本体部材の平板金属体は、所定の幅寸法と厚さは０．１  〜５  ｍｍの厚さを有する請求項１乃至請求項５に記載の地上波アナログ・デジタル共用受信テレビアンテナ。
【請求項７】
家屋内に設置する手段を有する請求項１乃至請求項６に記載の地上波アナログ・デジタル共用受信テレビアンテナ。
【発明の詳細な説明】
【０００１】
【発明の属する技術分野】
本発明は、地上波のテレビ放送で発射されているＦＭ、ＶＨＦ、ＵＨＦ帯の信号波を受信し、前記テレビの視聴を可能とするテレビアンテナに関し、特に無指向性の受信特性を有する固定型の地上波アナログ・デジタル共用受信テレビアンテナに関するものである。
【０００２】
【従来の技術】
周知の通り、地上波アナログ・デジタル受信テレビアンテナとしては、八木アンテナが一般の住宅や事業所に使用されている。
例えば、特開２０００−４１２０  号公報に開示されたテレビ用アンテナの一例は、図５に示されるように、住宅の屋根裏等の屋内にも取り付けられるように、ア−ム３２にエレメント２１〜２４からなるＵＨＦアンテナと、エレメント１１、１２、１４、１５からなるＶＨＦアンテナとを取り付けこのア−ム３２をケ−スを構成する本体３内に収納するというものである。
【０００３】
八木アンテナは能力の高いアンテナであるが、指向性アンテナであるため送信局の方向に合わせる必要があり設置時の調整が難しく、専門的な知識を要求されることが知られている。
例えば、特開平１０−９３９９５    号公報に開示された図６に示されるテレビ放送電波到来方向確認装置を用いてアンテナの方向を調整する。即ち、テレビ受信機１のチュ−ナ２には、同軸ケ−ブル３を介してテレビ放送受信用アンテナ４が接続される。チュ−ナ２のＡＶ検波出力端子に無線送信機６を接続する。この無線送信機６は、チュ−ナ２から出力されるＡＶ検波出力信号をＶＨＦまたはＵＨＦの空きチャネルに変調し、微弱電波を用いてアンテナ７より外部に送信する。この送信電波をアンテナ４が設置されている近傍において、液晶デイスプレイ付き小型受信機で受信する。この小型受信機８は、無線送信機６から送られてくる電波をチュ−ナで受信し、テレビ画像を復調して液晶デイスプレイに表示する。そして、上記小型受信機８に表示されるテレビ画像を見ながら、その画像が最良の状態となるようにアンテナ４の方向を調整するというものである。
【０００４】
周知のように、電波の周波数ｆと波長λと電波の速度ｖとの間には次の公式で表される関係がある。
即ち、波長λ（ｍ）＝（３×１０８）÷（周波数×１０６）の公式  であり、この公式を用いて計算することができる。
【０００５】
【発明が解決しようとする課題】
前記のアンテナの一般用の製品は、アルミニュウ−ムで作られた、０．５  〜０．８  ｍｍ程度の厚さであるために、腐食による劣化や一定個所に加えられた力に弱く、沿岸地域の塩害や化学物質による腐食、カラスやカモメなどの大型鳥類による破損事故、台風や強風による被害などにより、甚だしい場合は隔年で交換を要求される地域もある。
全体に軽量なので取り付ける位置との関係もあり、台風、積雪、大型鳥類などによつて、折損、受信の方向位置から外れると云つた事態によつて、受信不能となる。
受信特性上の問題からアナログ放送の受信では、１  〜３  チャネルのＶＨＦ−Ｌｏｗ  帯、４  〜１２チャネルのＶＨＦ−Ｈｉ帯、１３〜６２チャネルのＵＨＦ  帯のそれぞれに対応するアンテナを必要とし、上記のチャネルが混在する地域では複数のアンテナを屋外に設置する必要があり、一般には家屋の屋上に高い位置に設置する場合が殆どであるために、景観を損ね、設置時は複数の工事要員を必要とする、転倒防止に配慮した工事となるので、高額な費用が発生する。
交換工事の際は屋根上に設置するために、瓦屋根の場合には、瓦がずれたり、割れたりすることで、雨漏りなどの２次トラブルの発生や高所での作業であるために、安全確保、専門作業員の減少化、により迅速な工事が望めないなど、多くの問題点をもつている。
本発明が解決しようとする課題は、前記問題点を解決し、及び無指向性テレビアンテナで受信する際に受信感度が不足するという問題と又受信利得の向上と広帯域な周波数に安定した受信利得を得ることが必要であるという問題を解決することにある。
従つて、本発明の目的は、従来の問題点を解決し、テレビ放送で発射されているＦＭ、ＶＨＦ、ＵＨＦ帯のテレビを視聴するための好適な家屋内に設置する地上波アナログ・デジタル共用受信テレビアンテナを提供することにある。
【０００６】
【課題を解決するための手段】
本発明は、前記の課題を解決するために、請求項１において、地上波で発射されているＦＭ、ＶＨＦ、ＵＨＦ帯の信号波を受信し、前記テレビの視聴を可能とするテレビアンテナにおいて、
所定の幅寸法と厚さと所定の形状を有する短冊状の平板金属体よりなるアンテナの本体部材と、該アンテナ本体部材を所定の形状を有して台座上に支承する非金属よりなる支承手段と、該アンテナ本体部材に接続され、受信した電流を取り出す電線ケ−ブルと、該アンテナ本体部材と電線ケ−ブルとを接続する給電点における接続手段と、アンテナ本体部材等を格納する外装ケ−スとにより構成されたことを特徴とする地上波アナログ・デジタル共用受信テレビアンテナを構成した。
【０００７】
又、請求項２において、アンテナの本体部材の全長は、受信に対応させたい周波数から、公知の計算式により求められた１／４波長以上の長さを有する平板金属体である請求項１に記載の地上波アナログ・デジタル共用受信テレビアンテナを構成した。
【０００８】
又、請求項３において、短冊状の平板金属体を水平方向で垂直に多角形状に形成して、電波の受信面を設けた同一形状の平板金属体を所定の間隔を有して上下に並立させ、該平板金属体の上下の対向した一端部を連続すると共に他端部を解放し該解放端部に電線ケ−ブル接続手段を有するようにした水平偏波対応型のアンテナ本体部材を有するように構成した請求項１及び請求項２に記載の地上波アナログ・デジタル共用受信テレビアンテナを構成した。
【０００９】
又、請求項４において、短冊状の平板金属体を水平方向で水平に多角形状に形成して、電波の垂直受信面を設けた同一形状の平板金属体を所定の間隔を有して上下に重ね合わせ、該平板金属体の上下に対向した一端部を接続すると共に他端部を解放し該解放端部に電線ケ−ブル接続手段を有するようにした垂直偏波対応型のアンテナ本体部材を有するように構成した請求項１及び請求項２に記載の地上波アナログ・デジタル共用受信テレビアンテナを構成した。
【００１０】
又、請求項５において、短冊状の平板金属体を直角に山折に形成して電波の垂直及び水平受信面を設けると共に、水平に多角形状に形成した同一形状の平板金属体を所定の間隔を有して上下に重ね合わせ該平板金属体の上下の対向した一端部を連続すると共に他端部を解放し該解放端部に電線ケ−ブル接続手段を有するようにした水平及び垂直混合対応型のアンテナ本体部材を有するように構成した請求項１及び請求項２に記載の地上波アナログ・デジタル共用受信テレビアンテナを構成した。
【００１１】
又、請求項６において、アンテナ本体部材の全体の長さは、受信電波に対応させたい周波数から、公知の計算式により求められた１／４波長以上の長さを有し、該アンテナ本体部材の平板金属体の厚さは０．１  〜５  ｍｍの厚さを有する請求項１乃至請求項５に記載の地上波アナログ・デジタル共用受信テレビアンテナを構成した。
【００１２】
又、請求項７において、家屋内に設置する手段を有する請求項１乃至請求項６に記載の地上波アナログ・デジタル共用受信テレビアンテナを構成した。
【００１３】
【発明の実施の形態】
本発明を請求項１に記載の通り構成し、又、アンテナの本体部材の全長を電波の受信に対応させたい周波数から公知の計算式により求められた１／４波長以上の長さを有する平板金属体よりなるテレビアンテナを構成したので、０００５に記載の目的を達成した地上波アナログ・デジタル共用受信テレビアンテナを提供する事ができる。
【００１４】
又、請求項３に記載する水平偏波対応型、請求項４に記載する垂直偏波対応型、及び請求項５に記載する水平と垂直偏波混合対応型のアンテナ本体部材を適用した地上波アナログ・デジタル共用受信テレビアンテナを提供する事ができる。
【００１５】
又、請求項６及び請求項７に記載するように家屋内に設置しテレビを視聴するに必要な好適な地上波アナログ・デジタル共用受信テレビアンテナを提供する事ができる。
【００１６】
【実施例】
本発明の所定の形状を三角形状に形成した一実施例を図面と共に説明する。図１は第１実施例の水平偏波対応型のアンテナ本体部材の斜視図、図１ａは、図１のアンテナ本体部材に支承手段等を付加して外装ケ−スに搭載した説明斜視図である。図４は、第１実施例の特性図である。
図１に於いて、１は所定の幅寸法と厚さを有する短冊状の水平偏波対応型の三角形状の平板金属体のアンテナ本体部材、１１、１２、１３はその一辺、１４は一辺１３、１３が連続する部位、１５は一辺１１、１１が解放された端部、１６は所定の寸法を有する幅、１７は所定の寸法を有する厚さ、１８は上下の所定の寸法を有する間隔である。
図示するように、アンテナ本体部材１は、平板金属体のその一辺１１、１２、１３よりなる三角形状の上部部材と同形の下部部材とを、間隔１８を有して上下に並立させ、該平板金属体の上下の対向した一端部１４を連続すると共に、他端部１５を解放するように構成し、上の端部１５と下の端部１５に至る平板金属体の全長は、前記の０００４に記載する公知の計算式で計算して求めた長さを有し、又、他端部１５の平板金属体の上下の対向した端部に、芯線（＋）を絶縁部で囲みその外部に網線（−）で囲み被覆されたケ−ブルと圧着端子で形成された公知の電線ケ−ブル接続手段を設けた水平偏波型のアンテナ素子のアンテナ本体部材１である。
該平板金属体は、所定の幅寸法と０．１〜５ｍｍの厚さを有するものである。
前記のように構成したので、該アンテナは、水平偏波型の受信特性と安定した利得特性を有するアンテナ素子である。
図１ａは、前記アンテナ本体部材１を、合成樹脂の非金属部材よりなる外装手段４内で、合成樹脂の非金属部材の複数の支承手段１２０により所定の形状を有して台座３０上で外装ケ−ス４０にカバ−され、家屋内の所定の部位に設置さるように構成される。  該第１実施例の特性は、図４ａに受信利得及び図４ｂに指向性の一例を示すような効果を奏するものである。
【００１７】
図２は、第２実施例の垂直偏波型のアンテナ本体部材の斜視図である。
図２に於いて、２は所定の幅寸法と厚さを有する短冊状の垂直偏波対応型の三角形状の平板金属体のアンテナ本体部材、２１、２２、２３はその一辺、２４は一辺２３、２３が連続する部位、２５は一辺２１、２１が解放された端部、２６は所定の寸法を有する幅、２７は所定の寸法を有する厚さ、２８は上下の所定の寸法を有する間隔である。
図示するように、アンテナ本体部材２は、平板金属体のその一辺２１、２２、２３よりなる三角形状の上部部材と同形の下部部材とを、間隔２８を有して、上下に水平に形成させ、該平板金属体の上下の対向した一端部２４を連続すると共に、他端部２５を解放するように構成し、該他端部２５の平板金属体の上下の対向した端部に前記の公知の接続手段を有する電線ケ−ブル接続手段を設けた垂直偏波対応型であり、その他は図１とほぼ同一であるから詳細は省略する。
図２ａは、図２のアンテナ本体部材に支承手段等を付加して外装ケ−スに搭載した説明斜視図である。図２ａは、前記アンテナ本体部材２を用いるほかは図１ａと同様であるから詳細は省略する。
【００１８】
図３は、第３実施例の水平及び垂直混合対応型のアンテナ本体部材の斜視図である。
図３に於いて、３は所定の幅寸法と厚さを有する短冊状の前記混合対応型の三角形状の平板金属体のアンテナ本体部材、３１、３２、３３はその一辺、３４は一辺３３、３３が連続する部位、３５は一辺３１、３１が解放された端部、３６は平板金属体を直角に山形に折り曲げて、所定の幅寸法に形成されたアンテナ本体部材、３７は所定の寸法を有する厚さ、３８は上下の所定の寸法を有する間隔である。
図示するように、アンテナ本体部材３は、平板金属体のその一辺３１、３２、３３よりなる、前記山形に折り曲げて構成した三角形状の上部部材と同形の下部部材とを、間隔３８を有して、上下に水平に形成させ、該平板金属体の上下の対向した一端部３４を連続すると共に、他端部３５を解放するように構成し、該他端部３５の平板金属体の上下の対向した端部に前記の公知の接続手段を有する電線ケ−ブル接続手段を設けた水平及び垂直混合対応型であり、その他は図１とほぼ同一であるから詳細は省略する。
図３ａは前記アンテナ本体部材３を用いるほかは図１ａと同様であるから詳細は省略する。
【００１９】
【発明の効果】
本発明の、地上波アナログ・デジタル共用受信テレビアンテナを、前記のように構成したので、広帯域で無指向性の安定した受信特性が図られ、テレビアンテナの単一化、小型化が可能となり、家屋内の設置に好適となり、従来のテレビアンテナのような方向調整の不要化、高所作業の危険防止を図ることが出来るので、設置や取り付けに伴う所要時間の短縮、工事に伴う事故を軽減することが出来るという顕著な効果がある。
【００２０】
又、該テレビアンテナは十分堅牢な製品となり、台風などの強風による被害、その他の事故を防止できるので、長期に渡り設置可能となり、家屋内で十分な受信利得と広帯域で安定した周波数の受信利得を有するテレビを視聴することが出来るという顕著な効果がある。
【図面の簡単な説明】
【図１】本発明の第１実施例の水平偏波対応型のアンテナ本体部材の斜視図
【図１ａ】図１のアンテナ本体部材に支承手段等を付加して外装ケ−スに搭載
した説明斜視図
【図２】本発明の第２実施例の垂直偏波対応型のアンテナ本体部材の斜視図
【図２ａ】図２のアンテナ本体部材に支承手段等を付加して外装ケ−スに搭載
した説明斜視図
【図３】本発明の第３実施例の水平及び垂直偏波混合対応型のアンテナ本体
部材の斜視図
【図３ａ】図３のアンテナ本体部材に支承手段等を付加して外装ケ−スに搭載
した説明斜視図
【図４】図１に示すテレビアンテナの特性を示す特性説明図
図１ａは、受信利得を示す図、図ｂは、指向性を示す図
【図５】従来の家屋内等に用いられているテレビアンテナの説明図
【図６】従来のテレビ放送電波到来方向確認装置の１例の説明図
【符号の説明】
１      三角形状短冊状平板金属体のアンテナ本体部材
１１      同上の一辺
１２      同上の一辺
１３      同上の一辺
１４      同上の対向する連続した一端部
１５      同上の対向する解放した他端部
１６      短冊状平板金属体の幅
１７      同上の厚さ
１８      同上の並列した間隔
Ａ      電線ケ−ブル接続用端子孔
Ｂ      同上の端子孔
２      三角形状短冊状平板金属体のアンテナ本体部材
２１      同上の一辺
２２      同上の一辺
２３      同上の一辺
２４      同上の対向する連続した一端部
２５      同上の対向する解放した他端部
２６      短冊状平板金属体の幅
２７      同上の厚さ
２８      同上の上下の間隔
３      三角形状短冊状平板金属体のアンテナ本体部材
３１      同上の一辺
３２      同上の一辺
３３      同上の一辺
１２０      合成樹脂の支承手段
２２０      同上
３２０      同上
３０      台座
４０      外装ケ−ス
５０      電線ケ−ブルの一部
１      テレビ受信機
２      チュ−ナ
３      同軸ケ−ブル
３      本体
４      放送受信用アンテナ
６      無線送信機
７      アンテナ
８      デイスプレイ付小型受信機
１１      エレメント
１２      同上
１４      同上
１５      同上
２１〜２４同上
３２      ア−ム
【図１】
2004282319.tif 000003
【図１ａ】
2004282319.tif 000004
【図２】
2004282319.tif 000005
【図２ａ】
2004282319.tif 000006
【図３】
2004282319.tif 000007
【図３ａ】
2004282319.tif 000008
【図４】
2004282319.tif 000009
【図５】
2004282319.tif 000010
【図６】
2004282319.tif 000011
【手続補正書】
【提出日】平成15年4月4日(2003.4.4)
【手続補正１】
【補正対象書類名】図面
【補正対象項目名】全図
【補正方法】変更
【補正の内容】
【図１】
2004282319.tif 000012
【図１ａ】
2004282319.tif 000013
【図２】
2004282319.tif 000014
【図２ａ】
2004282319.tif 000015
【図３】
2004282319.tif 000016
【図３ａ】
2004282319.tif 000017
【図４】
2004282319.tif 000018
【図５】
2004282319.tif 000019
【図６】
2004282319.tif 000020